(57)【特許請求の範囲】
【請求項１】
幅方向の両側が開放した放熱空間を形成する隙間を有して組付けられた一対の帯板状の取付基板と、前記各取付基板の外面に分散状に配置され複数のＬＥＤ発光体と、前記一対の取付基板の各外面に取り付けられ各外面を隠蔽し透光性を有しかつ円筒面の一部を有する形状である一対のカバーと、を備えて棒状の発光部本体が形成され、
前記発光部本体の両端部に、両取付基板間の端部空隙及び前記取付基板と前記カバーとの端部空隙を塞ぐ取付座部が取り付けられ、該取付座部に被さって前記ＬＥＤ発光体に電力を供給する端子を植立するカップ状の端子カバーが取り付けられ、全体の外形が直管状の蛍光灯型に形成されてなる、
ことを特徴とするＬＥＤ発光体を内蔵した照明装置。
【請求項２】
前記一対の取付基板の側縁部に発光部本体の外周に露出する放熱用フィンを備えていることを特徴とする請求項１に記載のＬＥＤ発光体を内蔵した照明装置。
【請求項３】
前記一対の取付基板間に少なくとも長尺方向の両端位置に挟まれるように複数個取り付けられ前記空隙を確保しかつ一方の取付基板の放熱用フィンと他方の取付基板の放熱用フィンとを挟持して両取付基板を一体に連結するスペーサを備えていることを特徴とする請求項１又は２に記載のＬＥＤ発光体を内蔵してなる照明装置。
【請求項４】
前記端子カバーは、前記取付座部に係止片が取り付けられかつ前記取付座部に付設された係止爪と前記係止ホルダーに付設された弾性爪片との噛み合わせによって任意の回転を規制された該係止ホルダーを介して取り付けられていることを特徴とする請求項１乃至３のいずれかに記載のＬＥＤ発光体を内蔵してなる照明装置。
【請求項５】
電源コードが前記取付座部及び前記係止ホルダーの略中央に形成された孔に通されかつ前記取付基板と前記カバーとの端部空隙に通され、電源コードの基端を前記端子カバーの端子に接続されていると共に奥行き端を前記ＬＥＤ発光体に接続されていることを特徴とする請求項３に記載のＬＥＤ発光体を内蔵した照明装置。
【請求項６】
前記カバーは、前記取付基板の両側縁部が内接する仮想円の円周に沿った円弧状断面形に形成され、両側縁部に掛止め部を有し、該掛止め部を前記取付基板の両側縁部に形成された係止部に掛止め組付けられたことを特徴とする請求項１乃至５のいずれかに記載のＬＥＤ発光体を内蔵してなる照明装置。
【発明の詳細な説明】
【技術分野】
【０００１】
本発明は、ＬＥＤ発光体を光源とした照明装置に関する。
【背景技術】
【０００２】
一般に直管型の蛍光灯は、室内の照明として用いられたり、自動販売機や看板等に用いられたりするが、寿命が短いという問題点がある。このことから取り付けた蛍光灯を頻繁に交換しなければならず面倒である上にコストがかかり、さらに屋外の高所に取り付ける場合等においては、取り換え作業を専門業者に依頼しなければならないといったことから、コストが多大にかかってしまうといった問題があった。
【０００３】
このような問題に鑑みて、従来から蛍光灯に比べて寿命が長く消費電力の少ないＬＥＤを光源とした照明器具が提案されている。例えば特許文献１〜３がその例である。これらの照明器具は、既設の蛍光灯照明器具に蛍光灯の代替品として取り付けることができるものとして提案されたものである。
【０００４】
【特許文献１】実用新案登録第３０８３３４３号公報
【特許文献２】特開２００１−３５１４０２号公報
【特許文献３】特開２００４−３３５４２６号公報
【０００５】
特許文献１に記載の照明装置は、透明な管１と電極５と口金４のそれぞれを蛍光管と同等の形状にして蛍光管の外形と類似の形状、寸法に形成し、管１の内部にＬＥＤと制御回路を配置したもので、これを蛍光灯に代えて蛍光灯照明器具に取り付けることができるものとしたものである。
【０００６】
また、特許文献２に記載の照明装置は、透明又は半透明のパイプ状の管２の内側に支持板３を設け、管の端部を塞ぐベースキャップ５から外側に向けて端子４を突設しており、この端子４から、上記支持板３に設けられたＡＣ／ＤＣ変換器７とこの変換機に接続された電圧制御部８を介して支持板３に取り付けたＬＥＤ９に電流を供給することによって発光させるものとしたものである。この照明装置は、前記特許文献１と同様に外形を蛍光管の外形と類似の形状、寸法に設定すると共に、蛍光灯照明器具から端子を介して流れる交流電流をＡＣ／ＤＣ変換器によって直流電流に変換し、その直流電流の電圧を電圧制御部によって調整することによって、蛍光灯に代えて蛍光灯照明器具に取り付けることができるものとしてある。
【０００７】
さらに特許文献３に記載の照明装置は、白色発光ダイオード７、つまりＬＥＤを片面又は両面に固定した棒状の配線基板６をパイプ状の管２の内部に配置し、電子ピン４を取り付けたカップ状の口金３を管の両端に嵌めつけて塞いだものである。
この照明装置は、外形を蛍光管の外形と類似の形状、寸法に設定することによって、蛍光灯に代えて蛍光灯照明器具に取り付けることができるものとなっている。また、この照明装置は管２の開口端部に口金３を回転自由に嵌めつけることによって相互に所要角度可動しうるように構成したものとなっている。
【発明の開示】
【発明が解決しようとする課題】
【０００８】
上述した特許文献１〜３に係る照明装置は、蛍光管と同等の外形に形成し、更に既存の蛍光灯照明器具のソケットの差込孔に端子（乃至電極ピン）を差し込めるようにすることによってＬＥＤに電流を供給できるようにして、ＬＥＤを発光させる構造にしたもので、蛍光灯の代替品にしたものである。
しかし、これらの照明装置は言わば単にＬＥＤを管に収めただけのものであって、ＬＥＤ発光体から発せられる熱に対する対策が全く考慮されていない。このため、ＬＥＤから発する熱が管内部に篭ってしまい、その熱によってＬＥＤ自身の劣化が早められ、その結果、照明装置としての寿命が短くなるといった問題がある。
また、これらの照明装置は、ＬＥＤ発光体を照明装置として利用することについて説明されているが、この装置を構成する諸種の部品を如何に組み立てるかの製造、ことに部品相互の関係や組立手順等、実施するに当って必要となる製造技術については全く考慮されておらず、製造性に問題があった。
【０００９】
本発明は、このような問題に鑑みなされたものであり、その目的とするところは、蛍光灯に代えて用いることができると同時に光源として用いるＬＥＤ発光体から発せられる熱を効率良く外部に放出することによりＬＥＤの長寿命化を図って安定的に使用することができるＬＥＤ発光体を内蔵した照明装置を提供することにある。
また、本発明の他の目的は、組み立てを容易にして製造性を図ると共に、使用上安全に取り扱えるようにしたＬＥＤ発光体を内蔵した照明装置を提供することにある。
【課題を解決するための手段】
【００１０】
上記目的を達成するために、本発明のＬＥＤ発光体を内蔵した照明装置は、幅方向の両側が開放した放熱空間を形成する隙間を有して組付けられた一対の帯板状の取付基板と、前記各取付基板の外面に分散状に配置され複数のＬＥＤ発光体と、前記一対の取付基板の各外面に取り付けられ各外面を隠蔽し透光性を有しかつ円筒面の一部を有する形状である一対のカバーと、を備えて棒状の発光部本体が形成され、前記発光部本体の両端部に、両取付基板間の端部空隙及び前記取付基板と前記カバーとの端部空隙を塞ぐ取付座部が取り付けられ、該取付座部に被さって前記ＬＥＤ発光体に電力を供給する端子を植立するカップ状の端子カバーが取り付けられ、全体の外形が直管状の蛍光灯型に形成されてなる、ことを特徴とする。
【００１１】
上記本発明において、取付基板はアルミの押出型材を利用することになる。この取付基板には光源とするＬＥＤ発光体を表面に分散して配置し、取付基板の表面から発光するようにされる。
対をなす取付基板相互の間の空隙は、ＬＥＤ発光体から発する熱によって加熱される取付基板を冷却するための放熱用空間である。この空隙は取付基板相互の両側縁部間において外部に開放し、外気との交流を通して取付基板を冷却し、ＬＥＤ発光体からの熱を放熱してＬＥＤ発光体の寿命を延ばすことになる。
【００１２】
この本発明に係る照明装置は発光部本体の両端に備える端子を直管型蛍光灯のためのソケットに装着することによって利用され、蛍光灯の代替品として使用される。
【００１３】
取付座部は取付基板の両端に取付くことによって、実質的に発光部本体の両端を被い、これによって発光部本体の内部を塞ざすことになり、塵埃等の侵入を防止することになる。
【００１４】
また本発明のＬＥＤ発光体を内蔵した照明装置は、前記一対の取付基板の側縁部に発光部本体の外周に露出する放熱用フィンを備えていることを特徴とする。
【００１５】
この発明は、取付基板の側縁部に沿って一体に放熱用フィンを設けることによって前記空隙を通しての外気との交流による冷熱に併せて放熱効果を上げ、発光部本体内に留るＬＥＤ発光体からの熱の放熱を更に実効あるものとしたものである。
尚、この放熱用フィンは取付基板を前述した如くアルミの押出形成によって製造する際に前記カバーに留め付ける係止部の形成と同時に形成することができる。
【００１６】
また本発明のＬＥＤ発光体を内蔵した照明装置は、前記一対の取付基板間に少なくとも長尺方向の両端位置に挟まれるように複数個取り付けられ前記空隙を確保しかつ一方の取付基板の放熱用フィンと他方の取付基板の放熱用フィンとを挟持して両取付基板を一体に連結するスペーサを備えていることを特徴とする。
【００１７】
この発明は、対をなす取付基板間にスペーサを介挿することによって両取付基板間に形成する空隙を所定の間隔で確実に、且つ安定的に形成することができることになる。そして同時に、このスペーサの介在によって対の取付基板を中心とした発光部本体部分の組立を迅速に、そして堅固に行ない、このスペーサを足場にすることで発光部本体の両端に装備する端子カバーの取付けが容易に行われることになる。
【００１８】
また本発明のＬＥＤ発光体を内蔵した照明装置は、前記照明装置において、前記端子カバーは、前記取付座部に係止片が取り付けられかつ前記取付座部に付設された係止爪と前記係止ホルダーに付設された弾性爪片との噛み合わせによって任意の回転を規制された該係止ホルダーを介して取り付けられていることを特徴とする。
【００１９】
上記取付座部は、前述したように発光部本体の両端部を閉塞する部材となることに加えて本発明では端子カバーを装着する取付手段としても利用され、ここでは係止ホルダーを装着することにより、この係止ホルダーを介して端子カバーを取付けるものとしている。
【００２０】
端子カバーは前述したようにカップ状に形成され、取付座部を介して発光部本体の両端に装着されるに当っては自動的に内部を閉塞した状態で取付くことになることから何らかの連結組付け手段を組込むことが有利である。係止ホルダーはこの連結組付け手段に相当するものであって、端子カバーを装着する際この係止ホルダーに向けて押付けることで自動的に止め付けられ発光部本体の両端に装着されることになる。
【００２１】
上記発明は、取付座部に対して係止ホルダーを回転自由に支持させることによって発光部本体に対して係止ホルダーに止め付けた端子カバーの回転を許し、このカバーに植設した端子の向きを自由に変更可能にしたことにある。これによって固定的に装備されるソケット、例えば蛍光灯を装着するため予め装備したソケットに本発明照明装置を装着したとき、端子カバーの向きを変えることなく発光部本体の向きを回転を通して変更できるようにして光の方向性を持つＬＥＤ発光体の弱点を解消すると共に、効果的な照明を発揮するようにしたのである。
【００２２】
その一方、本発明では上記回転の可能範囲を規制して端子とＬＥＤ発光体とを接続するコードの断線を防止すると同時に、係止爪と弾性爪片との噛み合わせによって回転後の停止位置を確定して任意の回転を防止し、選択した照明方向を保持することができるものとしている。
【００２３】
また本発明のＬＥＤ発光体を内蔵した照明装置は、電源コードが前記取付座部及び前記係止ホルダーの略中央に形成された孔に通されかつ前記取付基板と前記カバーとの端部空隙に通され、電源コードの基端を前記端子カバーの端子に接続されていると共に奥行き端を前記ＬＥＤ発光体に接続されていることを特徴とする。
【００２４】
この発明は、取付座部の軸部を通してＬＥＤ発光体の電源コードを引き出し、端子に接続できるようにする一方、この軸部に対して係止ホルダーの組付けを容易にしている。ことにこの発明では軸部に対して係止ホルダーを押付ける操作で組付けることを可能にし、組立の迅速化を計ると同時に係止ホルダーの回転の中心となる軸部の中空部に電源コードを通すことで回転の妨げとならないようにしている。
【００２５】
また本発明のＬＥＤ発光体を内蔵した照明装置は、前記カバーは、前記取付基板の両側縁部が内接する仮想円の円周に沿った円弧状断面形に形成され、両側縁部に掛止め部を有し、該掛止め部を前記取付基板の両側縁部に形成された係止部に掛止め組付けられたことを特徴とする。
【００２６】
この発明の照明装置は、取付基板の表面に配置されるＬＥＤ発光体を被覆するカバーの取付基板に対する取付けについてのもので、取付基板に形成する係止部とカバーに設ける掛止め部との係合によって確実に、且つ簡便に取付けられるものとなる。
【００２７】
上記カバーは対の取付基板の各表面側を被覆してそれぞれのＬＥＤ発光体を保護するものとなるが、対の取付基板との組合わせによって発光部本体を形成するに当って、その全体形状が略円筒形状の外形を呈して直管型蛍光灯を形作るべく円弧状断面形にしたもので、蛍光灯の代替物としての使用を可能にすると共に、そのときの違和感を排除することができる。
【発明の効果】
【００３１】
上記の如く構成される本発明は、取付基板に植設したＬＥＤ発光体をそれぞれカバーで被覆し、全体の形状を円筒形に形成することから直管型の蛍光灯形状とすることができ、これによって蛍光灯の代替品としての照明装置を提供することができる。そして、本発明においては対をなす取付基板間に所要の空隙を形成し、外気との交流を可能にして内部に蓄熱するＬＥＤ発光体からの熱を外部に放熱することができることから、この熱によるＬＥＤ発光体のダメージを効果的に排除することができ、その寿命を延長することが可能となる。
【００３２】
更に本発明においては、発光部本体の両端に備える端子を介してソケットに装着し、セットを完了した状態においてＬＥＤ発光体を内蔵する発光部本体を回転可能に支持する構造としたことから、取付基板の表面に植設されて照明の光が一定方向に特定される条件の中にあっても、上記回転を通して照射方向を任意変更することができるものとなっている。
従って、自由に照射方向を選択し、蛍光灯と変わりない照明装置として利用することが可能であると共に、上記回転範囲、更には回転位置を決定して一定位置に止めておくことができることから安定した照明を得ることができ自動販売機における商品の照明設備としても有効に利用することができる。
【発明を実施するための最良の形態】
【００３３】
以下、本発明の実施の形態について図面を参照して説明する。
図面は、本発明に係るＬＥＤ発光体を内蔵した照明装置の一実施形態を示したもので、図１は本発明照明装置の斜視図であり、図２乃至図６は組立の手順に従って各部の構造及び部品相互の関係を説明した分解斜視図である。
図１〜図３に示すように、照明装置１は、中心に、一対の取付基板３，３の表面にＬＥＤ発光体４，４，・・を配置してなる発光部本体２を備え、該発光部本体２の両側面を透光性のカバー５，５で被覆し、ＬＥＤ発光体４，４，・・の光がカバー５，５を通して外方を照明するように構成されている。
【００３４】
取付基板３は、長尺な肉薄の帯板状をなすもので、ここではアルミの押出型材が使用されている。この取付基板３は両側縁部に全長に亘ってカバー５を装着するための内向きに開口する溝形の係止部６ａ，６ｂを有する。
【００３５】
上記係止部６ａ，６ｂは取付基板３の表面側に向けて立ち上がった状態に形成されて互いに溝を向き合わせており、一方の係止部６ｂは取付基板３の表面より高く立ち上げて外側面に複数の襞を全長に亘り突出して冷却用のフィン７を形成する。このため両側縁部の係止部６ａ，６ｂは取付基板３の表面からの高さが異なるものとなっている。
【００３６】
８は上記取付基板３の表面に貼り付け一体に装着したＬＥＤ発光体４のためのプラスチック製の配線基板である。この基板は取付基板３の表面に沿って略全長に亘り止着され、所定の間隔で配置したＬＥＤ発光体４が取付基板の表面の全域に亘って適切に配置される。
９は上記配線基板８の一端に接続した電源コードで、後述する端子カバーに植設される端子に接続される。
【００３７】
上記取付基板３は、図面における上下のものにおいて全く同一のものとなっている。ここでは押出成形したアルミ製の帯板を背面同士を向かい合わせに揃えて並べることによって一対の組としている。
２枚の取付基板３，３は図示するように両者の間に外気の出入りを可能にして冷却するための空隙１０を形成する。
【００３８】
図中１１は、上記空隙１０を形成するとともに、取付基板３，３同士を一体に連結固定するスペーサである。
このスペーサ１１は、対の取付基板３，３の間に所定の空隙１０を形成するために、必要な肉厚を以って形成してあり、一方の端部には外面側に折り返すように一対の矢形の係止片１２，１２を備え、この係止片１２，１２を各取付基板の側縁部に設ける冷却用フィン７の溝に係入させて２枚の取付基板３，３の間に収まるようにしてある。
【００３９】
スペーサ１１は、ここでは長尺な取付基板３，３の両端部と長さの中間部にそれぞれ介挿して取付基板間の間隔を一定に保持すると同時に、両端部に配置するスペーサ１１，１１は各取付基板３，３に形成する透孔１３を通して孔１４を貫通する止めねじ１５にナット１６を締め付けることで２枚の取付基板３，３を連結し、一体化させている。
【００４０】
図３は、上記スペーサ１１を介しての取付基板３，３の一体化をなしたのち、この両取付基板にカバー５，５を装着する姿を示したものである。
カバー５，５は半透明の合成樹脂を材料に断面半円弧状の樋形形状に形成してあり、両側縁部には内向きに突出する突条を形成し、この突条の外側面に長さの全長に亘って外に向けて開放する溝形の掛止め部１７ａ，１７ｂを形成する。
【００４１】
掛止め部１７ａ，１７ｂは前記取付基板３の係止部６ａ，６ｂに係合して組み合わせるもので、上記係止部６ａ，６ｂの一端にこの掛止め部１７ａ，１７ｂの一端を合わせて嵌め合わせたのち、係止部の長さ方向に沿ってカバー５をスライドさせることによって装着することができる。
尚、図３は、下方のカバー５を装着完了状態とし、上方のカバー５を装着途中の状態としており、両カバー５，５が完全に装着されたとき図４に示されるように全体が棒状となる発光部本体２を完成させることになる。
【００４２】
カバー５は、ＬＥＤ発光体４の露出を防止するもので、半透明である外、透明の場合もあり、また着色される場合もある。勿論、照明装置であることから透光性の素材を以って形成されることは言うまでもない。
【００４３】
更に、ここではカバー５を半円弧状断面形のものとしたが、この形状の選択は本発明の照明装置全体が直管状蛍光灯の形態に近似したものとなることを意図して一対のカバー５，５の組み合わせによって全体が棒状となるようにしたことによるもので、照明装置の外形状を他の形状とする場合は、このカバー５の断面形状を変更すれば容易に変えることができることになる。
【００４４】
図中１８は、発光部本体２の両端に端子カバー１９を取り付けるための取付座部であり、２０はこの取付座部１８と端子カバー１９との間に介挿して両者の結合を図ると共に、取付座部１８に対し端子カバー１９を回転可能に装着する係止ホルダーである。
【００４５】
取付座部１８は円盤形をなす座基板２１の外側面の中心部に係止ホルダー２０を装着するための軸部２２を一体に有する。
この取付座部１８は合成樹脂を材料に成形してあり、座基板２１は前記発光部本体２の端面を覆い隠す円形に形成して内側面には前記カバー５，５の端部から入り込んでその背面に寄り添う位置決めの弧状の突条２３，２３を対向状に備える。
【００４６】
そして、取付座部１８の外側面の周縁部には環状の壁部２４を立設し、この壁部２４の内周面の略半周に亘る部分に波形をなす係止爪２５を形成する。この係止爪２５は係止ホルダー２０の回転を規制すると共に回転位置を確保するもので、これについては係止ホルダー２０の動作に合せて後述する。
【００４７】
一方、取付座部１８の外側面の軸部２２は円筒形に形成してその中空部を座基板２１を貫いて貫通孔２６とすると共に軸心に沿って縦に切り込むスリット２７，２７を設けて分割し、このスリットを利用して縮径できるようにしている。そして軸部２２の基部に環状の段２８を設けると共に軸部２２の先端部に外周面をテーパ状にした膨径部２９を設けて軸部２２の外周面に係止ホルダー２０を滑合する小径な受部３０を設けている。
【００４８】
図中３１は取付座部１８を発光部本体２の端面に固定するための止めねじ３２を通す透孔であり、３３はこの固定に当って位置決めするための突起である。
透孔３１は、図４に示されるように発光部本体２の端面に表われるスペーサ１１に対峙してこのスペーサ１１に形成されるねじ受け孔３４に向かい合わせとなり、取付座部１８を発光部本体２の端面に添わせたとき、この透孔３１を通して止めねじ３２を上記ねじ受け孔３４に揉み込んで取付座部１８の取付けを完了することになる。この取付けに当って突起３３をスペーサ１１の空部３５に突入させ、透孔３１とねじ受け孔３４の位置合せを行うことになる。
尚、この取付座部１８の取付けに当っては前記配線基板８からの電源コード９を軸部２２の貫通孔２６を通して外に持ち出しておく。
【００４９】
発光部本体２に対してその両端に上記取付座部１８を取り付けたのち、前記係止ホルダー２０を装着することになる。
係止ホルダー２０は環状をなす本体部２０ａの外周部から外側面に向けて起立するように一対の係止片３６，３６を延設し、更に上記外側面から中央部の穴３７を囲むように円筒形の係止部３８を立ち上げている。
【００５０】
上記係止部３８は前記取付座部１８の軸部２２に装着し係止ホルダー２０を支持するもので、従って穴３７と共に係止部３８の中空部はこの軸部２２を受け入れられる口径に形成してある。そして、この係止部３８は軸心方向に沿って縦に数条のスリット３９を設けて拡径することができるようにしてあり、先端部の内周面には前記軸部２２の外周面に形成した環状の受部３０に係入し、周方向に滑合移動することができる全体として環状をなす爪４０が設けてある。
【００５１】
係止片３６，３６は端子カバー１９を掛止めるためのもので、本体部２０ａの外周部から対立した状態で外側面側に突き出し、先端の外面側には端子カバー１９に係止する爪４１がそれぞれ設けてある。
この係止片３６，３６はキャップ状に形成される端子カバー１９の内径より広い間隔を以って延設してあり、端子カバー１９を装着する際は、カバーの内面に軸心方向に沿って形成する溝４２，４２に内側に撓めて間隔を狭めた状態で挿入し、そのまま奥に滑り込ませて最深部に形成する凹部４３，４３に前記爪４１を掛け止めることで装着が行われる。
【００５２】
図１６は、上記係止ホルダー２０を介して取付座部１８に端子カバー１９を装着した状態を断面図を以って示したもので、取付座部１８に対して係止ホルダー２０は軸部２２に向けて穴３７を臨ませ、そのまま受け入れるようにして係止部３８に軸部２２を通し、軸部２２の先端の膨径部２９で爪４０を一旦押し拡げて係止部３８を拡張させたのち、この爪４０を受部３０に受け入れ、滑合させることによって組付けが行われる。そして組み付けられた係止ホルダー２０は係止部３８に通した軸部２２を中心にして自由に回転するように装着される。
【００５３】
図中４４は係止ホルダー２０の本体部２０ａの外周部から周縁方向に沿って弧状に延設された弾性爪片である。
この弾性爪片４４は上記係止ホルダー２０の自由な回転を規制すると共に、所定の位置で回転を止めたとき、その回転位置に停止させ、自由な回転を拘束するストッパーの働き持たせたものであり、前述した如く係止ホルダー２０を軸部２２に装着したとき、取付座部１８の壁部２４の内側に侵入させて弾性的に摺接させ、先端外側面に突設する断面山形の爪４５をこの壁部の内側面に形成する前記係止爪２５に噛み付かせることになる。
【００５４】
尚、上記係止ホルダー２０は、取付座部１８と同様に弾性を有し、且つ所要の剛性を有した合成樹脂を材料に成形して係止片３６，３６を始めとして爪４０を持った係止部３８、弾性爪片４４は素材の弾性によって所定の範囲で撓み、復元することができるものとなっている。
【００５５】
上記係止ホルダー２０の取付座部１８に対する実際の取付けは前述したように外に向けて突き出す軸部２２に向けて係止ホルダー２０の穴３７を押付け嵌め付けることで行われる。このとき、爪４０が受部３０に係合することで抜け出ることがなくなり、この受部３０を案内にして自由に回転できるように装着され、また前記弾性爪片４４の爪４５が壁部２４の係止爪２５に係合することで上記自由な回転が規制されることになる。この様にして取付座部１８に対して装着された係止ホルダー２０に対して端子カバー１９は被せるようにして押し付けることによって装着されることになる。
【００５６】
この装着に当っては先に軸部２２の貫通孔２６を通して引き出した電源コード９を端子カバー１９の内側に突き出す端子４６，４６の後端部に接続してから装着することになる。
この端子カバー１９の装着は、前述したように係止ホルダー２０から延設する係止片３６，３６の先端部に設ける爪４１，４１をカバー内面の溝４２，４２に嵌め付け、この状態で端子カバー１９を係止ホルダー２０に押付けることによって行われる。
【００５７】
端子カバー１９の押付けによって爪４１は溝４２の奥に進み、凹部４３，４３に達したところで係止片３６の復元によってこの凹部に突入係止し装着を完了することになる。
この端子カバー１９が発光部本体２の両端を被う形態で装着されたとき本発明の照明装置１は完成されることになる。
図１６に示したように端子カバー１９は開口部側の周縁を取付座部１８の座基板２１の周縁部に沿った外側面に当接し、取付座部１８及び係止ホルダー２０の全体を被覆することになる。
【００５８】
この様にして形成された本発明照明装置１は、蛍光灯のために準備される対峙した一対のソケット（図示せず）の間に臨ませ、両端の端子カバー１９，１９にそれぞれ植立する端子４６，４６を突き入れ接続することによって装着され使用に供されることになる。
【００５９】
この使用においては前述したように本発明照明装置１は取付基板３の表面に配置したＬＥＤ発光体４・・・を光源としていることにより照明方向が取付基板３の表面方向に特定され、蛍光灯の如く全方向に照明することができないものとなっていることから、例えば自動販売機における陳列商品の照明用に使用した場合、これらの照明対象物に直ちに適切な照明光の照射ができないことが起こるが、本発明照明装置１においては、両端の端子カバー１９，１９が係止ホルダー２０を介して発光部本体２に対して回転可能に組付くことから、前記ソケットに装着した状態で、発光部本体２を回転させ照明方向を自由に選び照明対象物に照明光を当てることができることになる。
【００６０】
この発光部本体２の回転は前記したように軸部２２を中心とする係止ホルダー２０の回転によって行われる。この回転において係止ホルダー２０は弾性爪片４４の爪４５を壁部２４の係止爪２５を乗り越えさせ、コツコツと１爪毎に回転が進むと同時に、回転を止めた時点で爪４５が壁部２４の１つの係止爪２５と係合することでこの係合位置で回転が止められ、これによって任意の回転、つまり照明方向の変更が止められることになる。
【００６１】
尚、当該実施の形態では円形の壁部２４の内周面の約半周に亘って係止爪２５を波形に連設する場合を示したが、照明方向の調整は半周分の回転が得られれば充分であることから選択されたもので、例えば全周に亘って係止爪２５を形成しても、また４分の１周に亘って形成してもよい。ただ回転を１回転を超えて行うと、端子４６に接続するコード９が断線することもあるので、回転範囲を規制しておくことも重要である。
【００６２】
以上本発明を実施の形態に基づき説明したが、本発明照明装置２によれば、ＬＥＤ発光体４を光源とすることによって蛍光灯に比較して消費電力を大幅に節減できることは勿論のこと、ＬＥＤ発光体４に伴う光の方向性を発光部本体２の回転によって回避し、これによって蛍光灯と同等の照明装置として利用できると共に、この発光部本体２の回転操作に当っては弾性爪片４４の弾性を利用してクリック感を発生させ、手による調整作業を容易にし、且つ回転を止めた位置において停止させることができることから安定的に使用することができるものとなっている。
【００６３】
尚、ここでは発光部本体２の回転の規制において、係止爪２５を波形に形成し、これに爪４５を噛み合わせる場合につき説明したが、弾性爪片の圧接力を利用して摩擦係数を高めて摩擦力によって回転を規制するようにしてもよく、この場合には爪と爪との噛み合わせを外すことができる。
【００６４】
更に加えて本発明照明装置１は、光源とするＬＥＤ発光体４から発する熱を取付基板３，３間に形成する空隙１０を通して発光部本体２の外に放出する構造としたことからＬＥＤ発光体４の寿命、耐用年数を延ばすことができるものとなっている。
ことにＬＥＤ使用の照明装置における従来の課題はこのＬＥＤからの発熱と、この発熱によってＬＥＤ自らの寿命を短くすることにあったが、本発明は取付基板３に伝わる熱を空隙１０を通して入り込む空気によって冷却し、放熱する構造としたことから自然冷却ができ、照明装置の耐用年数を大幅に改善することができるものとなっている。
【００６５】
そして本発明においては、発光部本体２の外に向けてＬＥＤ発光体４を配置する取付基板３の側縁部を露出させ、しかも、この側縁部に放熱効果を挙げるフィン７を形成する構造としたことから更に効果的に放熱できるものとなっている。
【００６６】
尚、上記空隙１０についてはＬＥＤ発光体４の発光量、設置個数等を勘案して任意定められると共に、取付基板３の面積、肉厚等も同様にして求める照明装置の規模等に応じて任意定められることになる。そして、実施の形態では取付基板３の一方の側縁部にのみフィン７を形成したが、これについても両側縁部に形成することを妨げるものではない。
また、本発明装置においてはＬＥＤ発光体を利用する上から、適宜ＡＣ／ＤＣ変換器、電圧制御装置等を装置内に設置することになることは言うまでもない。
【図面の簡単な説明】
【００６７】
【図１】本発明に係る照明装置の斜視図である。
【図２】発光部本体の分解斜視図である。
【図３】取付基板に対するカバーの装着を説明する分解斜視図である。
【図４】発光部本体に対する取付座部の取付関係を説明する分解斜視図である。
【図５】取付座部に対する係止ホルダーの取付関係を説明する分解斜視図である。
【図６】係止ホルダーに対する端子カバーの取付関係を説明する分解斜視図である。
【図７】取付基板の一部欠截した拡大平面図である。
【図８】図７のＡ−Ａ断面図である。
【図９】スペーサの拡大平面図である。
【図１０】図９のＢ−Ｂ断面図である。
【図１１】カバーの拡大平面図である。
【図１２】図１１のＣ−Ｃ断面図である。
【図１３】（Ａ）は取付座部の正面図、（Ｂ）は取付座部の背面図、（Ｃ）は（Ａ）のＤ−Ｄ断面図、（Ｄ）は（Ａ）のＥ−Ｅ断面図である。
【図１４】（Ａ）は係止ホルダーの正面図、（Ｂ）は係止ホルダーの背面図、（Ｃ）は（Ａ）のＦ−Ｆ断面図である。
【図１５】（Ａ）は端子カバーの正面図、（Ｂ）は端子カバーの背面図、（Ｃ）は（Ａ）のＧ−Ｇ断面図である。
【図１６】図１のＨ−Ｈ断面図である。
【図１７】図１のＩ−Ｉ拡大断面図である。
【符号の説明】
【００６８】
１              照明装置
２              発光部本体
３              取付基板
４              ＬＥＤ発光体
５              カバー
６ａ，６ｂ      係止部
７              放熱用フィン
８              配線基板
９              電源コード
１０            空隙
１１            スペーサ
１２            係止片
１３            透孔
１４            孔
１５            止めねじ
１６            ナット
１７ａ，１７ｂ  掛止め部
１８            取付座部
１９            端子カバー
２０            係止ホルダー
２０ａ          係止ホルダーの本体部
２１            取付座部の座基板
２２            取付座部の軸部
２３            突条
２４            壁部
２５            係止爪
２６            貫通孔
２７            スリット
２８            段
２９            軸部の膨径部
３０            軸部の受部
３１            透孔
３２            止めねじ
３３            突起
３４            ねじ受け孔
３５            空部
３６            係止ホルダーの係止片
３７            穴
３８            係止ホルダーの係止部
３９            スリット
４０            爪
４１            爪
４２            溝
４３            凹部
４４            弾性爪片
４５            爪
４６            端子
【図１】
0004627088.tif 000002
【図２】
0004627088.tif 000003
【図３】
0004627088.tif 000004
【図４】
0004627088.tif 000005
【図５】
0004627088.tif 000006
【図６】
0004627088.tif 000007
【図７】
0004627088.tif 000008
【図８】
0004627088.tif 000009
【図９】
0004627088.tif 000010
【図１０】
0004627088.tif 000011
【図１１】
0004627088.tif 000012
【図１２】
0004627088.tif 000013
【図１３】
0004627088.tif 000014
【図１４】
0004627088.tif 000015
【図１５】
0004627088.tif 000016
【図１６】
0004627088.tif 000017
【図１７】
0004627088.tif 000018